(57)【要約】【課題】美観の低下を抑制するとともに清掃が行い易い便座装置を提供する。【解決手段】便座装置１０は、内部に機能部品を収容し、便器本体１の上面１Ａにおける後端部側に配置される機能部２０と、便器本体１の上面１Ａにおいて起立姿勢と倒伏姿勢とに回動自在に機能部２０に支持される便座部４０と、を備えている。便座部４０は、使用者が着座する着座部５０と、着座部５０の後端部５０Ａに連続して機能部２０の左側面２０Ａ側に延びる左側壁部７０と、着座部５０の後端部５０Ａに連続して機能部２０の右側面２０Ｂ側に延びる右側壁部８０と、を有する。【選択図】図１
2018187026.tif 000002
【特許請求の範囲】
【請求項１】
内部に機能部品を収容し、便器本体の上面における後端部側に配置される機能部と、
前記便器本体の上面において起立姿勢と倒伏姿勢とに回動自在に前記機能部に支持される便座部と、
を備え、
前記便座部は、
使用者が着座する着座部と、
前記着座部の後端部にそれぞれ連続し、前記機能部の左右それぞれの側面側に延びる一対の側壁部と、
を有することを特徴とする便座装置。
【請求項２】
前記便座部は、前記着座部の後端部に連続し、前記機能部の上面側に延びる上壁部を有し、
一対の前記側壁部は、前記上壁部の左右両端部にそれぞれ連続することを特徴とする請求項１に記載の便座装置。
【請求項３】
前記便座部又は前記機能部の一方が連結され、左右方向に延びて前記便座部の回動中心となる回動軸を備え、
前記便座部又は前記機能部の他方は、前後方向に延びて前記回動軸が挿入する軸受孔が形成されていることを特徴とする請求項１又は請求項２に記載の便座装置。
【請求項４】
前記便座部と前記機能部との間に配置され、前記便座部又は前記機能部に形成される緩衝部材を備えることを特徴とする請求項１乃至請求項３のいずれか１項に記載の便座装置。
【請求項５】
左右方向に延びて前記便座部の回動中心となる回動軸と、
前記回動軸を両方向に回動自在に支持する本体部と、
を有する複数の減速装置を備え、
各減速装置は、前記本体部が前記回動軸に対して同一方向の回動に抵抗を付与し、前記回動軸の突出方向が同じ方向になるように前記便座部又は前記機能部の一方に前記本体部を設け、他方に形成された軸受孔に前記回動軸を挿入したことを特徴とする請求項１乃至請求項４のいずれか１項に記載の便座装置。
【請求項６】
前記便座部が倒伏姿勢にある状態において、前記便座部の下端部における外側の側面と、前記便器本体の上端部における外側の側面とが略同一平面上に位置することを特徴とする請求項１乃至請求項５のいずれか１項に記載の便座装置。
【発明の詳細な説明】
【技術分野】
【０００１】
本発明は便座装置に関するものである。
【背景技術】
【０００２】
従来から、特許文献１に開示される便座装置のように、局部洗浄装置などの各種機能装置が収容されて便器本体に固定された本体部と、本体部に回動可能に軸支された便座と、機能部に回動可能に軸支された便蓋と、を備える構成が知られている。
【先行技術文献】
【特許文献】
【０００３】
【特許文献１】特許第４９９９０４９号公報
【発明の概要】
【発明が解決しようとする課題】
【０００４】
ところで、特許文献１のような便座装置において、便座の後端部分と本体部の前端部分とが上下方向で一部重なるように、便座が本体部に回動可能に軸支される構成となっている。そのため、便蓋を便器本体に対して回動して起立状態とした際に、本体部と便座との間に生じる隙間が左右両側面側などに露出することになる。このような隙間が見えることに起因して美観が低下するため、意匠性が悪くなってしまう。さらには、清掃時に本体部と便座の隙間にゴミなどが入り込むことで、掃除がし難くなってしまう。
【０００５】
本発明は、上記従来の実情に鑑みてなされたものであって、美観の低下を抑制するとともに清掃が行い易い便座装置を提供することを解決すべき課題としている。
【課題を解決するための手段】
【０００６】
本発明の便座装置は、
内部に機能部品を収容し、便器本体の上面における後端部側に配置される機能部と、
前記便器本体の上面において起立姿勢と倒伏姿勢とに回動自在に前記機能部に支持される便座部と、
を備え、
前記便座部は、
使用者が着座する着座部と、
前記着座部の後端部にそれぞれ連続し、前記機能部の左右それぞれの側面側に延びる一対の側壁部と、
を有することを特徴とする。
【０００７】
この便座装置は、着座部の後端部にそれぞれ連続する一対の側壁部が、それぞれ機能部の側面側に位置する。そのため、着座部と機能部の間の隙間が少なくとも側方側に露出しなくなる。したがって、着座部と機能部の間の隙間が見えることに起因する美観の低下を抑制し、隙間にゴミなどが入り込み難くなり清掃を行い易くすることができる。
【図面の簡単な説明】
【０００８】
【図１】実施例１に係る便座装置が便器本体に組み付けられた状態を示す斜視図である。
【図２】図１の状態を示す側面図である。
【図３】図１の状態を示す正面図である。
【図４】図１の機能部及びその周辺を説明する一部破断左側面図である。
【図５】便座部の左側壁部及びその周辺を示す左側面図である。
【図６】便座部の右側壁部及びその周辺を示す右側面図である。
【図７】図７（Ａ）は、便座部が回動不能な倒伏姿勢にある状態を説明する説明図であり、図７（Ｂ）は、回動可能な倒伏姿勢にある状態を説明する説明図である。
【図８】実施例２に係る便座装置が便器本体に組み付けられた状態を示す平面図である。
【図９】図９（Ａ）は、実施例２に係る便座部が倒伏姿勢である状態を説明する説明図であり、図９（Ｂ）は、起立姿勢である状態を説明する説明図である。
【図１０】図１０（Ａ）は、実施例３に係る便座部が回動不能な倒伏姿勢にある状態を説明する説明図であり、図１０（Ｂ）は、回動可能な倒伏姿勢にある状態を説明する説明図であり、図１０（Ｃ）は、起立姿勢にある状態を説明する説明図である。
【図１１】実施例４に係る便座装置が便器本体に組み付けられた状態を示す斜視図である。
【発明を実施するための形態】
【０００９】
本発明における好ましい実施の形態を説明する。
【００１０】
本発明の便座装置は、前記便座部が、前記着座部の後端部に連続し、前記機能部の上面側に延びる上壁部を有し、一対の前記側壁部は、前記上壁部の左右両端部にそれぞれ連続し得る。このため、着座部の後端部に連続する上壁部が、機能部の上面よりも上側に位置する。そのため、着座部と機能部の間の隙間が上方側に露出しなくなる。したがって、着座部と機能部の間の隙間が見えることに起因する美観の低下をより一層抑制し、隙間にゴミなどが入り込むことを防ぎ清掃をより一層行い易くすることができる。
【００１１】
本発明の便座装置は、前記便座部又は前記機能部の一方が連結され、左右方向に延びて前記便座部の回動中心となる回動軸を備え、前記便座部又は前記機能部の他方は、前後方向に延びて前記回動軸が挿入する軸受孔が形成され得る。この場合、回動軸と軸受孔とを相対的に移動させることで、便座部を機能部に対して前方側に移動させることができる。このように便座部を前方側に移動させることで、便座部が回動し得るスペースを確保することができ、便器本体が設置された壁や便器本体の後方側の上面に載置された洗浄タンクなどと干渉することなく、便座部を起立姿勢と倒伏姿勢とに回動させることができる。一方で、便座部を起立姿勢と倒伏姿勢とに回動させないときには、回動軸と軸受孔とを相対的に移動させることで、便座部を機能部に対して後方側に移動させることができる。このように便座部を後方側に移動させることで、便座部と壁や洗浄タンクなどとの間に隙間が生じなくなる。そのため、便座部と壁などの間の隙間が見えることに起因する美観の低下を抑制し、さらに隙間にゴミなどが入り込むことを防ぎ清掃を行い易くすることができる。
【００１２】
本発明の便座装置は、前記便座部と前記機能部との間に配置され、前記便座部又は前記機能部に形成される緩衝部材を備え得る。この場合、使用者の着座部への着座などにより便座部に荷重が加えられた場合に、緩衝部材に荷重を分散させることができ、機能部における便座部を支持する部分などに荷重が集中して加えられることを抑制することができる。これにより、この便座装置は、機能部における便座部を支持する部分などの損傷を防ぐことができる。
【００１３】
本発明の便座装置は、左右方向に延びて前記便座部の回動中心となる回動軸と、前記回動軸を両方向に回動自在に支持する本体部と、を有する複数の減速装置を備え、各減速装置は、前記本体部が前記回動軸に対して同一方向の回動に抵抗を付与し、前記回動軸の突出方向が同じ方向になるように前記便座部又は前記機能部の一方に前記本体部を設け、他方に形成された軸受孔に前記回動軸を挿入し得る。この場合、複数の減速装置は、それぞれ同じ方向に突出した回動軸に対して同一方向の回動方向への回動に抵抗を付与することができる。そのため、便座部が側壁部などを備えることにより大型化する構成であっても、１つの減速装置を備える構成に比べて、機能部に対する便座部の上記同一方向への回動を十分に減速させることができる。その上で、各減速装置は、回動軸に対して同一方向の回動に抵抗を付与する本体部が、回動軸の突出方向が同じ方向になるように設けられる。そのため、各本体部の配置を揃えることで、同じ構成である減速装置を複数用いることができ、減速装置の共通化を図ることができる。
【００１４】
本発明の便座装置は、前記便座部が倒伏姿勢にある状態において、前記便座部の下端部における外側の側面と、前記便器本体の上端部における外側の側面とが略同一平面上に位置し得る。このため、便座部の外側の側面と便器本体の外側の側面との間で段差が生じることがなく、便座部と便器本体とによって形作られる形態を簡易なものにすることができ、美観を向上させることができる。さらに、便座部の外側の側面と便器本体の外側の側面との間で段差が生じないため、清掃を行い易くすることができる。
【００１５】
次に、本発明の便座装置を具体化した実施例について、図面を参照しつつ説明する。
【００１６】
＜実施例１＞
実施例１の便座装置１０は、局部洗浄装置、脱臭装置などの各種機能装置を構成する各種機能部品が組み込まれてなる装置である。便座装置１０は、図１〜図３に示すように、水洗式便器の便器本体１上に組み付けられている。便座装置１０は、例えば、便器本体１を設置したトイレルームの壁面に固定されるリモートコントローラ（図示略）に設けられたスイッチを操作することで、各種機能装置を動作させる。
【００１７】
便器本体１は、図１〜図３に示すように、例えば壁掛け式であり、トイレルームの壁Ｗの壁面に係止され、固定されている。便器本体１は、図１に示すように、便鉢部２を備えている。便鉢部２は上端部が略楕円形状に開口した椀形状である。便器本体１の上面１Ａは、略同一水平面上に位置している。本明細書では、便器本体１の上面１Ａと直交する方向が上下方向であり、便器本体１の開口側が上方側であり、それとは反対側が下方側である。便器本体１が固定される壁Ｗと直交する方向が前後方向であり、壁Ｗから離れる側が前方側であり、壁Ｗに向かう側が後方側である。上下方向及び前後方向に直交する方向が左右方向であり、使用者が便座装置１０に着座した状態で左手側が左側であり、右手側が右側である。
【００１８】
便座装置１０は、図４に示すように、機能部２０、便座部４０を備えている。機能部２０は、内部に局部洗浄装置（図示略）などを構成する機能部品を収容し、便器本体１の上面１Ａにおける後端部１Ｂ側に配置されている。便座部４０は、便器本体１の上面１Ａにおいて起立姿勢と倒伏姿勢とに回動自在に機能部２０に支持されている。
【００１９】
機能部２０は、図４〜図６に示すように、ケース２１、電源部３１、制御部３２を備えている。ケース２１は、電源部３１、制御部３２などを収容する筐体として構成されている。ケース２１は、上壁部２２、前壁部２３、後壁部２４、左壁部２５、右壁部２６、底壁部２７を備えている。上壁部２２は、ケース２１の天井部分を構成し、左右方向に長い平板状に形成されている。前壁部２３は、上壁部２２の前端部から下方側に延出し、左右方向に長い平板状に形成されている。前壁部２３は、前方に向かうにつれて低位置となるように傾斜している。後壁部２４は、上壁部２２の後端部から下方側に延出するように、左右方向に長い平板状に形成されている。後壁部２４は、後方に向かうにつれて低位置となるように傾斜している。左壁部２５は、上壁部２２、前壁部２３、後壁部２４の各左端部に連続するように板状に形成されている。右壁部２６は、上壁部２２、前壁部２３、後壁部２４の各右端部に連続するように板状に形成されている。底壁部２７は、前壁部２３、後壁部２４、左壁部２５、右壁部２６の各下端部に連続しており、左右方向に長い平板状に形成されている。底壁部２７は、上壁部２２と略平行となるように形成されている。
【００２０】
図１、図４に示すように、ケース２１には、左壁部２５、右壁部２６からそれぞれ左右方向に突出する一対の回動軸３０，３０が形成されている。回動軸３０は、円筒状に形成され、便座部４０の回動中心となる。回動軸３０の内部には、機能部２０の内部から延びる配線４３が挿通し、便座部４０へと導かれる。なお、後述する便座部４０の貫通孔６２Ｃと連通する孔がケース２１に形成され、この孔に配線４３が挿通して便座部４０へと導かれる構成であってもよい。ケース２１には、局部洗浄装置の構成部品である洗浄ノズル（図示略）が収容され、洗浄ノズルが便鉢部２内に向けて進退可能な開口（図示略）が形成されている。
【００２１】
電源部３１は、商用１００Ｖ電源などの外部電源から電力供給を受けて、所定の電源電圧を生成するように機能する公知の電源回路などによって構成されている。この電源部３１から出力される電源電圧は、配線４３を介して局部洗浄装置（図示略）、赤外線センサ４２、制御部３２などの様々な電子部品に供給される。制御部３２は、便座装置１０全体を制御可能なマイコンを含む構成であり、局部洗浄装置（図示略）、赤外線センサ４２等を動作させるための制御信号を出力するように機能する。電源部３１、制御部３２は、本発明の「機能部品」の一例に相当する。
【００２２】
便座部４０は、図４〜図６に示すように、着座部５０、上壁部６０、左側壁部７０、右側壁部８０、赤外線センサ４２を備えている。なお、以下では、便座部４０が倒伏姿勢にある状態で便座部４０の各構成部分を説明する。着座部５０は、使用者が着座する部分であり、中央に開口が形成される長円状に形成されている。着座部５０は、図１〜図６に示すように、環状上壁部５１、内側垂下部５２、外側垂下部５３、底壁部５４、後壁部５５を備えている。環状上壁部５１は、環状の板部材によって構成され、内側に向かうにつれて低位置となるように傾斜している。内側垂下部５２は、環状上壁部５１の内周端部から垂下する筒状に形成され、環状上壁部５１と滑らかに連なっている。外側垂下部５３は、環状上壁部５１の外周端部における後端部を除く部分から垂下する湾曲板状に形成され、環状上壁部５１と滑らかに連なっている。底壁部５４は、環状の平板部材によって構成され、内側垂下部５２、外側垂下部５３の各下端部と連続している。後壁部５５は、底壁部５４の後端部から上方側に延出し、外側垂下部５３に連続している。後壁部５５は、後方側に向かうにつれて高位置となるように傾斜し、外側垂下部５３と筒状部分を構成している。
【００２３】
赤外線センサ４２は、公知の赤外線センサによって構成されている。赤外線センサ４２は、図４に示すように、着座部５０に組み付けられ、使用者が着座部５０に着座した状態を検知するように機能する。環状上壁部５１の後端部よりも僅かに前方であって左右方向の中央側に、赤外線センサ４２が露出する左右方向に長い長孔５１Ａが形成されている。赤外線センサ４２は、発光素子、受光素子を備え、発光素子から長孔５１Ａを介して赤外線が照射され、着座している使用者の人体で反射された赤外線を受光素子によって受光することにより、着座部５０上に使用者が着座していることを検知する。
【００２４】
上壁部６０は、図４に示すように、着座部５０の後端部５０Ａに連続するように後方側に延び、機能部２０の後端部に至るまで上方側から機能部２０の全体を覆う。上壁部６０は、外側上壁部６１、内側上壁部６２、後壁部６５を備えている。外側上壁部６１は、着座部５０における環状上壁部５１の後端部５１Ｂに連続し、後端部５１Ｂから後方側に延出するように、平板状に形成されている。
【００２５】
内側上壁部６２は、便座部４０が倒伏姿勢にある状態において、着座部５０における後壁部５５の後端部５５Ｂに連続し、後端部５５Ｂから後方側に延出するように形成されている。内側上壁部６２は、外側上壁部６１と略平行となるように平板状に形成されている。内側上壁部６２には、板厚方向に貫通する貫通孔６２Ｃが形成されており、赤外線センサ４２、電源部３１に接続される配線４３が挿通する。内側上壁部６２の下面の左右両端付近において、下方側に延出する板状の一対の延出部６６，６６が形成されている。延出部６６には、板厚方向に貫通し、前後方向に延びる軸受孔６６Ａが形成されている。一対の軸受孔６６Ａ，６６Ａには、一対の回動軸３０，３０がそれぞれ挿入され、便座部４０が便器本体１に対して回動するようになる。後壁部６５は、外側上壁部６１の後端部と、内側上壁部６２の後端部とを連結するように、平板状に形成されている。
【００２６】
内側上壁部６２の下面には、図４に示すように、緩衝部材６９が形成されている。緩衝部材６９は、ゴムなどの弾性部材によって構成され、例えば直方体状に形成されている。緩衝部材６９は、機能部２０の表面２０Ｃ（より具体的には、上壁部２２の上面）と、上壁部６０の下面６０Ｃの間に位置し、便座部４０に加わる荷重を吸収するように機能する。なお、本実施例では、上壁部２２、前壁部２３、後壁部２４の各上面によって機能部２０の表面２０Ｃが構成される。
【００２７】
左側壁部７０は、図５に示すように、便座部４０が倒伏姿勢にある状態において、上壁部６０の左端部６０Ａに連続するように下方側に延び、機能部２０の下端部に至るまで左側から機能部２０の全体を覆う。左側壁部７０は、本発明の「側壁部」の一例に相当する。左側壁部７０は、左右方向を板厚方向とする平板状であり、外側上壁部６１の左端部６１Ａから下方側に延出している。左側壁部７０は、外側上壁部６１の左端部６１Ａに滑らかに連続し、内側上壁部６２の左端部６２Ａにも連続している。左側壁部７０は、着座部５０の外側垂下部５３の左側の後端部と連続し、外側垂下部５３と一体的な壁部を構成している。左側壁部７０の下端部は、外側垂下部５３の下端部と前後方向で段差がないように連続している。左側壁部７０の後端部は、外側上壁部６１の後端部と段差がないように連続している。
【００２８】
右側壁部８０は、図６に示すように、便座部４０が倒伏姿勢にある状態において、上壁部６０の右端部６０Ｂに連続するように下方側に延び、機能部２０の下端部に至るまで右側から機能部２０の全体を覆う。右側壁部８０は、本発明の「側壁部」の一例に相当する。右側壁部８０は、左右方向を板厚方向とする平板状であり、外側上壁部６１の右端部６１Ｂから下方側に延出している。右側壁部８０は、外側上壁部６１の右端部６１Ｂに滑らかに連続し、内側上壁部６２の右端部６２Ｂにも連続している。右側壁部８０は、着座部５０の外側垂下部５３の右側の後端部と連続し、外側垂下部５３と一体的な壁部を構成している。右側壁部８０の下端部は、外側垂下部５３の下端部と前後方向で段差がないように連続している。右側壁部８０の後端部は、外側上壁部６１の後端部と段差がないように連続している。
【００２９】
次に、便座部４０が機能部２０に回動自在に組み付けられた状態について説明する。
図１〜図６は、便座部４０が便器本体１の上面１Ａにおいて倒伏姿勢で機能部２０に支持された状態である。上壁部６０は、図４〜図６に示すように、着座部５０の後端部５０Ａに連続し、機能部２０の上面２０Ｄ側に延びている。なお、本実施例では、図４に示すように、上壁部２２の上面によって機能部２０の上面２０Ｄが構成される。このようにして、上壁部６０は、着座部５０の後端部５０Ａから延びつつ機能部２０の上面２０Ｄの全体を上方側から覆っている。そのため、着座部５０の後壁部５５と、機能部２０の前壁部２３との間に生じる隙間が上方側から外部に露出しない。
【００３０】
左側壁部７０は、図５に示すように、上壁部６０の左端部６０Ａに連続し、機能部２０の左側面２０Ａ（左壁部２５の左側の壁面）側に延びている。このようにして、左側壁部７０は、着座部５０の後端部５０Ａから延びつつ機能部２０の左側面２０Ａの全体を左側から覆っている。そのため、着座部５０の後壁部５５と、機能部２０の前壁部２３との間に生じる隙間が左側から外部に露出しない。
【００３１】
右側壁部８０は、図６に示すように、上壁部６０の右端部６０Ｂに連続し、機能部２０の右側面２０Ｂ（右壁部２６の右側の壁面）側に延びている。右側壁部８０は、図６に示すように、このようにして、右側壁部８０は、着座部５０の後端部５０Ａから延びつつ機能部２０の右側面２０Ｂの全体を右側から覆っている。そのため、着座部５０の後壁部５５と、機能部２０の前壁部２３との間に生じる隙間が右側から外部に露出しない。
【００３２】
図１〜図３、図５、図６に示すように、便座部４０が倒伏姿勢にある状態において、便座部４０（具体的には、外側垂下部５３、左側壁部７０、右側壁部８０）の下端部における外側の側面と、便器本体１の上端部における外側の側面とが略同一平面上に位置する。着座部５０の下面（具体的には、底壁部５４の下面）には、ゴムなどの弾性部材によって構成される緩衝部材５４Ａが形成されている。着座部５０と便器本体１との間に緩衝部材５４Ａが介在することで、着座部５０、左側壁部７０、及び右側壁部８０と便器本体１との間に連続した均一な幅の僅かな隙間が形成させる。図４〜図６に示すように、上壁部６０（外側上壁部６１、内側上壁部６２）、左側壁部７０、右側壁部８０の各後端部は、便器本体１が固定された壁Ｗの壁面に接触している。これにより、便座部４０と壁Ｗの間に隙間が形成されない。
【００３３】
次に、便座部４０のスライド動作について説明する。
図７（Ａ）は、便座部４０が回動不能な倒伏姿勢にある状態を説明する説明図であり、図７（Ｂ）は、便座部４０が回動可能な倒伏姿勢にある状態を説明する説明図である。図７（Ａ）に示すように、回動軸３０が軸受孔６６Ａの前縁部に接触するとき、便座部４０の後端部が壁Ｗの壁面に接触する状態となる。便座部４０の移動が壁Ｗによって阻止され、便座部４０の起立姿勢への回動が阻止される。このような状態では、便座部４０と壁Ｗとの間に隙間ができず、ゴミなどの異物が入り込むことを防ぐことができる。
【００３４】
図７（Ａ）の状態から便座部４０を前方側に付勢すると、回動軸３０が軸受孔６６Ａの後縁部に接触するまで便座部４０が前方側にスライド移動する。このように便座部４０を前方側に移動させることで、便座部４０の後端部と壁Ｗとの間に隙間ができる。そのため、便座部４０が回動し得るスペースを確保することができ、便座部４０を倒伏姿勢から起立姿勢に回動させることができる。
【００３５】
以下、本構成の効果を例示する。
本構成の便座装置１０は、内部に機能部品を収容し、便器本体１の上面１Ａにおける後端部１Ｂ側に配置される機能部２０と、便器本体１の上面１Ａにおいて起立姿勢と倒伏姿勢とに回動自在に機能部２０に支持される便座部４０と、を備えている。便座部４０は、使用者が着座する着座部５０と、着座部５０の後端部５０Ａに連続して機能部２０の左側面２０Ａ側に延びる左側壁部７０と、着座部５０の後端部５０Ａに連続して機能部２０の右側面２０Ｂ側に延びる右側壁部８０と、を有する。
【００３６】
このため、上壁部６０の左端部６０Ａに連続する左側壁部７０が、機能部２０の左側面２０Ａ側に位置する。上壁部６０の右端部６０Ｂに連続する右側壁部８０が、機能部２０の右側面２０Ｂ側に位置する。そのため、着座部と機能部の間の隙間が側方側に露出しなくなる。したがって、着座部５０と機能部２０の間の隙間が見えることに起因する美観の低下を抑制し、隙間にゴミなどが入り込み難くなり清掃を行い易くすることができる。
【００３７】
便座部４０が、着座部５０の後端部５０Ａに連続し、機能部２０の上面２０Ｄ側に延びる上壁部６０を有し、左側壁部７０は上壁部６０の左端部６０Ａに連続し、右側壁部８０は上壁部６０の右端部６０Ｂに連続する。このため、着座部５０の後端部５０Ａに連続する上壁部６０が、機能部２０の上面２０Ｄよりも上側に位置する。そのため、着座部５０と機能部２０の間の隙間が上方側に露出しなくなる。したがって、着座部５０と機能部２０の間の隙間が見えることに起因する美観の低下をより一層抑制し、隙間にゴミなどが入り込むことを防ぎ清掃をより一層行い易くすることができる。
【００３８】
回動軸３０が機能部２０に形成され、左右方向に延びて便座部４０の回動中心となる。便座部４０には、前後方向に延びて回動軸３０が挿入するが軸受孔６６Ａが形成される。このため、回動軸３０と軸受孔６６Ａとを相対的に移動させることで、便座部４０を機能部２０に対して前方側に移動させることができる。このように便座部４０を前方側に移動させることで、便座部４０が回動し得るスペースを確保することができ、壁Ｗと干渉することなく、便座部４０を起立姿勢と倒伏姿勢とに回動させることができる。一方で、便座部４０を起立姿勢と倒伏姿勢とに回動させないときには、回動軸３０と軸受孔６６Ａとを相対的に移動させることで、便座部４０を機能部２０に対して後方側に移動させることができる。このように便座部４０を後方側に移動させることで、便座部４０と壁Ｗの間に隙間が生じなくなる。そのため、便座部４０と壁Ｗの間の隙間が見えることに起因する美観の低下を抑制し、さらに隙間にゴミなどが入り込むことを防ぎ清掃を行い易くすることができる。
【００３９】
上壁部６０の下面６０Ｃと、機能部２０の表面２０Ｃとの間に配置され、上壁部６０に形成される緩衝部材６９を備える。このため、使用者の着座部５０への着座などにより便座部４０に荷重が加えられた場合に、緩衝部材６９に荷重を分散させることができ、回動軸３０などに荷重が集中して加えられることを抑制することができる。これにより、便座装置１０は、回動軸３０の損傷を防ぐことができる。
【００４０】
便座部４０が倒伏姿勢にある状態において、便座部４０の下端部における外側の側面と、便器本体１の上端部における外側の側面とが略同一平面上に位置する。このため、便座部４０の外側の側面と便器本体１の外側の側面との間で段差が生じることがなく、便座部４０と便器本体１とによって形作られる形態を簡易なものにすることができ、美観を向上させることができる。さらに、便座部４０の外側の側面と便器本体１の外側の側面との間で段差が生じないため、清掃を行い易くすることができる。
【００４１】
＜実施例２＞
次に、実施例２について説明する。
実施例２の便座装置１０は、図８、図９に示すように、機能部２０と便座部４０の連結部分の構成が実施例１と相違する。他の構成は実施例１と同一であり、同一の構成は同一の符号を付し、詳細な説明を省略する。
【００４２】
便座装置１０は、図８、図９に示すように、２つの減速装置９０を備えている。減速装置９０は、回動軸９２、本体部９４を備えている。減速装置９０は、例えば公知のロータリーダンパとして構成され、本体部９４が回動軸９２に対してオイル等による粘性抵抗を作用させて制動力を与える。回動軸９２は、円筒状に形成されている。本体部９４は、回動軸９２の一端側が外部に突出するように回動軸９２の一部を覆うように支持する。本体部９４は、回動軸９２の一方向の回動に抵抗（制動力）を付与する。本体部９４は、回動軸９２の突出方向が同じ方向になるように機能部２０に設けられている。本体部９４，９４は、機能部２０を構成するケース２１の上端部側且つ後端部側におけるそれぞれ左右両端部付近において、ケース２１の内部に一部が入り込むように固定されている。これにより、減速装置９０は、便座部４０に対して起立姿勢から倒伏姿勢に回動する際の抵抗を付与することができる。
【００４３】
図９に示すように、便座部４０の上壁部６０（より具体的には、内側上壁部６２）には、下面の左右両端付近において下方側に延出する板状の一対の延出部６７，６７が形成されている。延出部６７には、板厚方向に貫通する円形状の軸受孔６７Ａが形成されている。軸受孔６７Ａには、回動軸９２が挿入され、回動軸９２に延出部６７が固定される。これにより、便座部４０が便器本体１に対して倒伏姿勢（図９（Ａ）参照）と起立姿勢（図９（Ｂ）参照）との間で回動可能になる。２つの減速装置９０は、便座部４０の起立姿勢から倒伏姿勢への回動に抵抗を与える。便座部４０を起立姿勢から倒伏姿勢にゆっくりと降ろせ、倒伏姿勢で止まるときの衝撃や音を小さくできる。
【００４４】
このように、２つの減速装置９０は、それぞれ同じ方向に突出した回動軸３０に対して同じ一方向の回動方向への回動に抵抗を付与することができる。そのため、便座部４０が上壁部６０及び側壁部７０，８０を備えることにより大型化する構成であっても、１つの減速装置９０を備える構成に比べて、機能部２０に対する便座部４０の一方向の回動方向への回動を十分に減速させることができる。その上で、各減速装置９０，９０は、回動軸９２に対して同一方向の回動に抵抗を付与する本体部９４が、回動軸９２の突出方向が同じ方向になるように設けられる。そのため、各本体部９４，９４の配置を揃えることで、同じ構成である減速装置９０を複数用いることができ、減速装置９０の共通化を図ることができる。
【００４５】
＜実施例３＞
次に、実施例３について説明する。
実施例３の便座装置１０は、図１０に示すように、機能部２０と便座部４０の連結部分の構成が実施例１と相違する。他の構成は実施例１と同一であり、同一の構成は同一の符号を付し、詳細な説明を省略する。
【００４６】
便座装置１０は、２つの減速装置１００を備えている。なお、図１０では、便座部４０の下面の左端部側に設けられる減速装置１００のみを示しているが、右端部側にも減速装置１００が設けられている。減速装置１００は、回動軸１０２、本体部１０４を備えており、例えば公知のロータリーダンパとして構成されている。回動軸１０２は、略円筒状に形成されている。回動軸１０２の先端部１０２Ａは、軸方向から見て半円状となるように切り欠かれている。本体部１０４は、回動軸１０２の先端部１０２Ａ側が外部に突出するように回動軸１０２の一部を覆うように支持する。本体部１０４は、回動軸１０２の一方向の回動に抵抗を付与する。本体部１０４は、回動軸１０２の突出方向が同じ方向になるように、機能部２０の上端部側且つ後端部側においてケース２１に組み付けられている。本体部１０４，１０４は、機能部２０を構成するケース２１の上端部側且つ後端部側において、それぞれ左右両端部付近に一部がケース２１内部に入り込むように組み付けられている。これにより、２つの本体部１０４は、ともに回動軸１０２の一方向（図１０では、反時計回り）の回動に抵抗を付与する。
【００４７】
図１０に示すように、便座部４０の上壁部６０（より具体的には、内側上壁部６２）には、下面の左右両端付近において下方側に延出する板状の一対の延出部６８が形成されている。延出部６８には、板厚方向に貫通する長方形状の軸受孔６８Ａが形成されている。軸受孔６８Ａには、回動軸１０２の先端部１０２Ａが挿入されている。
【００４８】
このような構成によって、便座部４０を図１０（Ａ）の状態から図１０（Ｂ）の状態に前方側へ移動させることができる。そのため、実施例１の図７（Ａ）の状態と同様に便座部４０の後端部を壁Ｗの壁面に接触させることができ、便座部４０と壁Ｗとの間に隙間が生じなくなる。便座部４０を、図１０（Ｂ）の倒伏姿勢と、図１０（Ｃ）の起立姿勢との間で回動させることができる。図１０（Ｃ）の起立姿勢から図１０（Ｂ）の倒伏姿勢への便座部４０の回動に抵抗を与えることができる。便座部４０を起立姿勢から倒伏姿勢にゆっくりと降ろせ、倒伏姿勢で止まるときの衝撃や音を小さくできる。
【００４９】
このような構成によって、便座部４０をスライド移動させる構成と、便座部４０の起立姿勢から倒伏姿勢への回動に抵抗を与える構成とを両立させることができる。
【００５０】
＜実施例４＞
次に、実施例４について説明する。
実施例４の便座装置１０は、図１１に示すように、便座部４０の構成が実施例１と相違する。他の構成は実施例１と同一であり、同一の構成は同一の符号を付し、詳細な説明を省略する。
【００５１】
便座部４０は、着座部５０、左側壁部１７０、右側壁部１８０、赤外線センサ４２を備えている。着座部５０の外側垂下部５３は、環状上壁部５１の外周端部から垂下する湾曲板状に形成されている。後壁部５５は、底壁部５４の後端部から上方側に延出し、外側垂下部５３及び環状上壁部５１に連続している。
【００５２】
左側壁部１７０は、図１１に示すように、便座部４０が倒伏姿勢にある状態において、着座部５０の後端部（本実施例４では、後壁部５５に相当）における左側端部（外側垂下部５３の左側の後端部）と連続し、着座部５０（より具体的には、外側垂下部５３）と一体的な壁部を構成している。左側壁部１７０の下端部は、外側垂下部５３の下端部と前後方向で段差がないように連続している。左側壁部１７０は、左右方向を板厚方向とする平板状であり、上端部が後方側に向かうにつれて低位置となるように滑らかに傾斜している。左側壁部１７０は、本発明の「側壁部」の一例に相当する。
【００５３】
右側壁部１８０は、図１１に示すように、便座部４０が倒伏姿勢にある状態において、着座部５０の後端部（後壁部５５）における右側端部（外側垂下部５３の右側の後端部）と連続し、着座部５０（より具体的には、外側垂下部５３）と一体的な壁部を構成している。右側壁部１８０の下端部は、外側垂下部５３の下端部と前後方向で段差がないように連続している。右側壁部１８０は、左右方向を板厚方向とする平板状であり、上端部が後方側に向かうにつれて低位置となるように滑らかに傾斜している。右側壁部１８０は、本発明の「側壁部」の一例に相当する。
【００５４】
左側壁部１７０の右側の側面、及び右側壁部１８０の左側の側面には、前後方向に延びる溝状の軸受孔１６６Ａが形成されている。一対の軸受孔１６６Ａ，１６６Ａには、機能部２０に形成された一対の回動軸１３０，１３０がそれぞれ挿入され、実施例１と同様に便座部４０が便器本体１に対して回動及びスライド移動するようになっている。
【００５５】
着座部５０の後端部の上面（より具体的には、環状上壁部５１の後端部５１Ｂの上面）と、機能部２０の上壁部２２の上面とが略同一平面上に位置している。着座部５０の後端部と、機能部２０の上壁部２２の前端部との間に形成される隙間は、極めて小さくなっている。
【００５６】
このような構成であっても、実施例１と同様に、着座部５０と機能部２０の間の隙間が側方側に露出しなくなり、着座部５０と機能部２０の間の隙間が見えることに起因する美観の低下を抑制し、隙間にゴミなどが入り込み難くなり清掃を行い易くすることができる。
【００５７】
本発明は上記記述及び図面によって説明した実施例に限定されるものではなく、例えば次のような実施例も本発明の技術的範囲に含まれる。
（１）実施例１では、回動軸３０が機能部２０に形成され、軸受孔６６Ａが便座部４０に形成される構成を例示したが、これに限定されない。例えば、回動軸３０が便座部４０に形成され、軸受孔６６Ａが機能部２０に形成される構成であってもよい。
（２）実施例１では、軸受孔６６Ａが貫通孔として構成される例を示したが、これに限定されない。例えば、軸受孔６６Ａが溝状に形成されてもよい。
（３）実施例２，３では、減速装置がロータリーダンパとして構成される例を示したが、これに限定されない。例えば、減速装置は、モータとして構成されてもよい。減速装置は、例えば正回転時に便座部４０を倒伏姿勢から起立姿勢に回動させ、逆回転時に便座部４０を起立姿勢から倒伏姿勢に回動させる。減速装置は、逆回転時に正回転時よりも回動速度を低くする。
（４）実施例２，３では、減速装置を２つ設ける例を示したが、減速装置を１つ、あるいは３つ以上設けてもよい。
（５）実施例１では、便座部４０に緩衝部材６９が形成される例を示したが、機能部２０（具体的には、上壁部２２）に形成されてもよい。また、緩衝部材６９を複数設けてもよい。また、緩衝部材６９は、便座部４０の内側上壁部６２と、機能部２０の上壁部２２の間に位置する構成に限らず、着座部５０の後壁部５５と、機能部２０の前壁部２３の間に位置する構成であってもよい。
（６）実施例１では、便器本体１が壁掛け式である例を示したが、トイレルームの床面上に設置される床置き式であってもよい。
【符号の説明】
【００５８】
１…便器本体
１Ａ…上面
１Ｂ…後端部
１０…便座装置
２０…機能部
２０Ａ…右側面
２０Ｂ…左側面
２０Ｄ…上面
３０，１３０…回動軸
３１…電源部（機能部品）
３２…制御部（機能部品）
４０…便座部
５０…着座部
５０Ａ…後端部
６０…上壁部
６０Ａ…右端部
６０Ｂ…左端部
６６Ａ…軸受孔
６９…緩衝部材
７０，１７０…右側壁部（側壁部）
８０，１８０…左側壁部（側壁部）
９０，１００…減速装置
９２，１０２…回動軸
９４，１０４…本体部
【図１】
2018187026.tif 000003
【図２】
2018187026.tif 000004
【図３】
2018187026.tif 000005
【図４】
2018187026.tif 000006
【図５】
2018187026.tif 000007
【図６】
2018187026.tif 000008
【図７】
2018187026.tif 000009
【図８】
2018187026.tif 000010
【図９】
2018187026.tif 000011
【図１０】
2018187026.tif 000012
【図１１】
2018187026.tif 000013